(57)【要約】【課題】  光ディスクに記録された映像音声データを再生する際に、ユーザが不適切とする台詞の再生出力を制限することができるようにする。【解決手段】  ユーザが不適切とする台詞を入力して、入力されたユーザが不適切とする複数の台詞を記憶し、光ディスクに記録されている映像音声データを読み出して、読み出された映像音声データの中の音声データの台詞をテキストデータに変換し、テキストデータに変換された音声データの台詞とユーザが不適切とする台詞とを照合して、読み出された音声データの台詞の中にユーザが不適切とする台詞が含まれているか否を判別し、その判別結果に基づいて音声データから再生された音声信号を出力するようにする。【選択図】        図１
2007102949.tif 000002
【特許請求の範囲】
【請求項１】
光ディスクに記録された映像音声データを再生するディスク装置であって、
ユーザが不適切とする台詞を入力する入力手段と、前記入力手段により入力されたユーザが不適切とする複数の台詞を記憶する不揮発性メモリと、光ディスクに記録されている映像音声データを読み出す読出手段と、前記読出手段により読み出された映像音声データの中の音声データの台詞をテキストデータに変換する変換手段と、前記変換手段によりテキストデータに変換された音声データの台詞と前記不揮発性メモリに記憶されているユーザが不適切とする台詞とを照合して、前記読出手段により読み出された音声データの台詞の中に前記不揮発性メモリに記憶されているユーザが不適切とする台詞が含まれているか否を判別する判別手段と、前記判別手段により光ディスクから読み出された音声データの台詞の中に前記不揮発性メモリに記憶されているユーザが不適切とする台詞が含まれていると判別された場合、ユーザが不適切とする台詞の部分の音声信号にミュートをかけて、音声データから再生された音声信号を出力し、前記判別手段により光ディスクから読み出された音声データの台詞の中に前記不揮発性メモリに記憶されているユーザが不適切とする台詞が含まれていないと判別された場合、音声データから再生された音声信号を通常出力する出力手段とを備えたことを特徴とするディスク装置。
【請求項２】
光ディスクに記録された映像音声データを再生するディスク装置であって、
ユーザが不適切とする台詞を入力する入力手段と、前記入力手段により入力されたユーザが不適切とする複数の台詞を記憶する記憶手段と、光ディスクに記録されている映像音声データを読み出す読出手段と、前記読出手段により読み出された映像音声データの中の音声データの台詞をテキストデータに変換する変換手段と、前記変換手段によりテキストデータに変換された音声データの台詞と前記記憶手段に記憶されているユーザが不適切とする台詞とを照合して、前記読出手段により読み出された音声データの台詞の中に前記記憶手段に記憶されているユーザが不適切とする台詞が含まれているか否を判別する判別手段と、前記判別手段の判別結果に基づいて音声データから再生された音声信号を出力する出力手段とを備えたことを特徴とするディスク装置。
【請求項３】
前記出力手段は、前記判別手段により光ディスクから読み出された音声データの台詞の中に前記記憶手段に記憶されているユーザが不適切とする台詞が含まれていると判別された場合、ユーザが不適切とする台詞の部分の音声信号にミュートをかけて、音声データから再生された音声信号を出力する出力手段であることを特徴とする請求項２記載のディスク装置。
【請求項４】
前記出力手段は、前記判別手段により光ディスクから読み出された音声データの台詞の中に前記記憶手段に記憶されているユーザが不適切とする台詞が含まれていないと判別された場合、音声データから再生された音声信号を通常出力する出力手段であることを特徴とする請求項２記載のディスク装置。
【請求項５】
前記記憶手段は、不揮発性メモリであることを特徴とする請求項２記載のディスク装置。
【発明の詳細な説明】
【技術分野】
【０００１】
本発明は、光ディスクに記録された映像音声データを再生するディスク装置に係り、特にユーザが不適切とする台詞の再生出力を制限することができるディスク装置に関する。
【背景技術】
【０００２】
一般に、ＤＶＤ（Ｄｉｇｉｔａｌ  Ｖｅｒｓａｔｉｌｅ  Ｄｉｓｃ）等の光ディスクに記録されている映像音声データには再生制限情報が付加されていて、ユーザがディスク装置のパレンタルレベルを設定することにより暴力シーンや残酷シーン等の再生出力を視聴者の年齢に応じて制限することができるようになっている。しかし、光ディスクに記録されている映像音声データの再生制限情報は光ディスクの製作者側により設定されているものであって、ユーザがその再生制限情報を編集することができないため、光ディスクに記録された映像音声データを再生する際に、ユーザが不適切とする台詞の再生出力を制限することができないという問題点があった。
背景技術としては、複数の使用者の識別情報を設定し、使用時に入力された使用者識別情報と設定されている内容とを照合して、照合が一致した場合、再生された映像音声信号を通常出力し、照合が一致しない場合、再生された映像信号に特殊映像効果処理を施して出力し、再生された音声信号にミュートをかけるようにしたものがあった（例えば、特許文献１参照）。
また、年齢制限情報に基づいて年齢制限がある場合に、年齢制限情報により年齢が制限されている場合、再生された映像信号に特殊映像効果処理を施して出力し、再生された音声信号にミュートをかけ、使用時に入力された使用者識別情報と設定されている内容とが一致した場合、年齢制限情報の有無に拘らず、再生された映像音声信号を通常出力するようにしたものがあった（例えば、特許文献２参照）。
また、再生されるシーンの再生が制限されている場合、再生が制限されているシーンの再生時に、再生された映像信号に特殊映像効果処理を施して出力し、再生された音声信号に代えて所定音声信号成分を出力するようにしたものがあった（例えば、特許文献３参照）。
【特許文献１】特開平８−１８５６５７号公報
【特許文献２】特開２００２−３０５７２８号公報
【特許文献３】特開２００４−２７４１８８号公報
【発明の開示】
【発明が解決しようとする課題】
【０００３】
しかしながら、背景技術で述べたもののうち最初のものにおいては、複数の使用者の識別情報を設定し、使用時に入力された使用者識別情報と設定されている内容とを照合して、照合が一致した場合、再生された映像音声信号を通常出力し、照合が一致しない場合、再生された映像信号に特殊映像効果処理を施して出力し、再生された音声信号にミュートをかけることができたが、使用時に入力された使用者識別情報と予め設定された内容とが一致しない場合に、再生された映像信号に特殊映像効果処理を施して出力し、再生された音声信号にミュートをかけて、一定年齢以上でない場合に適さない映像を完全な形で鑑賞されるのを防止しながら、そのストーリがわかるようにしたものであって、上記問題点を解決するようにしたものではなかった。
また、次のものにおいては、年齢制限情報に基づいて年齢制限がある場合に、年齢制限情報により年齢が制限されている場合、再生された映像信号に特殊映像効果処理を施して出力し、再生された音声信号にミュートをかけ、使用時に入力された使用者識別情報と設定されている内容とが一致した場合、年齢制限情報の有無に拘らず、再生された映像音声信号を通常出力することができたが、年齢制限がある場合に、再生された映像信号に特殊映像効果を施して出力し、再生された音声信号にミュートをかけて、一定年齢以上でない場合に適さない映像を完全な形で鑑賞されるのを防止しながら、そのストーリがわかるようにしたものであって、上記同様、上記問題点を解決するようにしたものではなかった。
また、更にその次のものにおいては、再生されるシーンの再生が制限されている場合、再生が制限されているシーンの再生時に、再生された映像信号に特殊効果処理を施して出力し、再生された音声信号に代えて所定音声信号成分を出力することができたが、再生が制限されているシーンの再生時に、再生された映像信号に特殊映像効果処理を施して出力し、再生された音声信号を出力しないようにして、年齢に応じたシーンを鑑賞することができるようにしたものであって、上記問題点を解決するようにしたものではなかった。
本発明は、背景技術の有するこのような問題点に鑑みてなされたものであり、その目的とするところは、光ディスクに記録された映像音声データを再生する際に、ユーザが不適切とする台詞の再生出力を制限することができるディスク装置を提供しようとするものである。
【課題を解決するための手段】
【０００４】
上記目的を達成するため本発明においては、光ディスクに記録された映像音声データを再生するディスク装置であって、ユーザが不適切とする台詞を入力する入力手段と、前記入力手段により入力されたユーザが不適切とする複数の台詞を記憶する記憶手段と、光ディスクに記録されている映像音声データを読み出す読出手段と、前記読出手段により読み出された映像音声データの中の音声データの台詞をテキストデータに変換する変換手段と、前記変換手段によりテキストデータに変換された音声データの台詞と前記記憶手段に記憶されているユーザが不適切とする台詞とを照合して、前記読出手段により読み出された音声データの台詞の中に前記記憶手段に記憶されているユーザが不適切とする台詞が含まれているか否を判別する判別手段と、前記判別手段の判別結果に基づいて音声データから再生された音声信号を出力する出力手段とを備える。
前記出力手段は、前記判別手段により光ディスクから読み出された音声データの台詞の中に前記記憶手段に記憶されているユーザが不適切とする台詞が含まれていると判別された場合、ユーザが不適切とする台詞の部分の音声信号にミュートをかけて、音声データから再生された音声信号を出力するようにするとよい。
また、前記出力手段は、前記判別手段により光ディスクから読み出された音声データの台詞の中に前記記憶手段に記憶されているユーザが不適切とする台詞が含まれていないと判別された場合、音声データから再生された音声信号を通常出力するようにするとよい。
前記記憶手段は、不揮発性メモリであるとよい。
これらの手段により、光ディスクに記録された映像音声データを再生する際に、ユーザが不適切とする台詞の再生出力を制限することができる。
【発明の効果】
【０００５】
請求項１記載の発明に係るディスク装置によれば、ユーザが不適切とする台詞を入力して、入力されたユーザが不適切とする複数の台詞を不揮発性メモリに記憶し、光ディスクに記録されている映像音声データを読み出して、読み出された映像音声データの中の音声データの台詞をテキストデータに変換し、テキストデータに変換された音声データの台詞と不揮発性メモリに記憶されているユーザが不適切とする台詞とを照合して、読み出された音声データの台詞の中に不揮発性メモリに記憶されているユーザが不適切とする台詞が含まれているか否を判別し、光ディスクから読み出された音声データの台詞の中に不揮発性メモリに記憶されているユーザが不適切とする台詞が含まれていると判別された場合、ユーザが不適切とする台詞の部分の音声信号にミュートをかけて、音声データから再生された音声信号を出力し、光ディスクから読み出された音声データの台詞の中に不揮発性メモリに記憶されているユーザが不適切とする台詞が含まれていないと判別された場合、音声データから再生された音声信号を通常出力するようにしているので、光ディスクに記録された映像音声データを再生する際に、光ディスクから読み出された音声データの台詞の中にユーザが不適切とする台詞が含まれている場合、ユーザが不適切とする台詞の部分の音声信号にミュートをかけて音声信号を出力することができ、ユーザが不適切とする台詞の再生出力を制限することができる。
請求項２記載の発明に係るディスク装置によれば、ユーザが不適切とする台詞を入力して、入力されたユーザが不適切とする複数の台詞を記憶し、光ディスクに記録されている映像音声データを読み出して、読み出された映像音声データの中の音声データの台詞をテキストデータに変換し、テキストデータに変換された音声データの台詞と記憶されているユーザが不適切とする台詞とを照合して、読み出された音声データの台詞の中にユーザが不適切とする台詞が含まれているか否を判別し、その判別結果に基づいて音声データから再生された音声信号を出力するようにしているので、光ディスクに記録された映像音声データを再生する際に、光ディスクから読み出された音声データの台詞の中にユーザが不適切とする台詞が含まれている場合、ユーザが不適切とする台詞の再生出力を制限することができる。
請求項３記載の発明に係るディスク装置によれば、光ディスクから読み出された音声データの台詞の中にユーザが不適切とする台詞が含まれていると判別された場合、ユーザが不適切とする台詞の部分の音声信号にミュートをかけて、音声データから再生された音声信号を出力するようにしているので、光ディスクに記録された映像音声データを再生する際に、光ディスクから読み出された音声データの台詞の中にユーザが不適切とする台詞が含まれている場合、ユーザが不適切とする台詞の部分の音声信号を出力しないようにすることができる。
請求項４記載の発明に係るディスク装置によれば、光ディスクから読み出された音声データの台詞の中にユーザが不適切とする台詞が含まれていないと判別された場合、音声データから再生された音声信号を通常出力するようにしているので、光ディスクに記録された映像音声データを再生する際に、光ディスクから読み出された音声データの台詞の中にユーザが不適切とする台詞が含まれていない場合、音声信号を通常出力することができる。
請求項５記載の発明に係るディスク装置によれば、入力されたユーザが不適切とする台詞を不揮発性メモリに記憶するようにしているので、ディスク装置の電源がＯＦＦになっても、不揮発性メモリの記憶内容を保持することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置のリモコン装置を示す説明図であり、図３は本発明の一実施例のディスク装置のユーザが不適切とする台詞の登録画面の表示例を示す図であり、図４は本発明の一実施例のディスク装置のユーザが不適切とする台詞の登録動作を示すフローチャートであり、図５は本発明の一実施例のディスク装置の再生動作を示すフローチャートである。
まず、図１の本発明の一実施例のディスク装置の構成を示すブロック図を基に説明する。
ディスク装置１は、光ディスク２にレーザ光を照射してその反射光を検出し、光ディスク２に記録されている映像音声データを読み出す光ピックアップ３と、光ディスク２を回転させるスピンドルモータ４と、光ピックアップ３を光ディスク２の半径方向に移動させるスレッドモータ５と、スピンドルモータ４の回転速度とスレッドモータ５の回転方向、回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声データのＲＦ（Ｒａｄｉｏ  Ｆｒｅｑｕｅｎｃｙ）信号を増幅するＲＦ増幅回路７と、ＲＦ増幅回路７により増幅された映像音声データのＲＦ信号を基準クロックに基づいて同期検出して、同期検出された映像音声データのアナログ信号のＲＦ信号をデジタル信号に変換し、デジタル信号に変換された映像音声データのＲＦ信号を復調し、復調された映像音声データの誤りを訂正する信号処理回路８と、信号処理回路８により誤り訂正された映像音声データから映像データと音声データとを分離するストリーム分離回路９と、所定の圧縮方式、例えば、ＡＣ３（Ａｕｄｉｏ  Ｃｏｍｐｒｅｓｓｉｏｎ−３、米国ドルビーラボラトリーズ社の商標）方式に基づいて圧縮された音声データを伸張し、伸張された音声データを復号して音声信号を再生する音声信号処理回路１０と、音声信号処理回路１０により再生された音声データをテキストデータに変換して、テキストデータに変換された音声データの中に含まれる台詞を認識する音声認識回路１１と、信号処理回路８により音声データから再生された音声信号にミュートをかけて出力するミュート回路１２と、所定の圧縮方式、例えば、ＭＰＥＧ２（Ｍｏｖｉｎｇ  Ｐｉｃｔｕｒｅ  Ｅｘｐｅｒｔｓ  Ｇｒｏｕｐ  ２）方式に基づいて圧縮された映像データを伸張し、伸張された映像データを復号して映像信号を再生する映像信号処理回路１３と、文字情報信号を映像信号に重畳して、文字情報をモニタ装置４０の画面に表示するＯＳＤ（Ｏｎ−Ｓｃｒｅｅｎ  Ｃｈａｒａｃｔｅｒ  Ｄｉｓｐｌａｙ）回路１４と、所定の信号方式に従った映像信号、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像信号に符号化するエンコーダ１５と、ディスク装置１のシステム全体を制御するマイコン１６と、ユーザが不適切とする台詞等のデータを記憶する書き換え可能な不揮発性メモリのフラッシュＲＯＭ（Ｒｅａｄ−Ｏｎｌｙ  Ｍｅｍｏｒｙ）１７と、リモコン装置２０から送信された赤外線信号のリモコン信号を受信して、所定の電気信号に変換するリモコン受信部１８とで構成されている。
また、リモコン装置２０には、図２に示すように、ディスク装置１の各種モードを設定するメニュ画面の表示を指令するメニュキー２０ａ、数字、文字、記号等を入力するテンキー２０ｂ、メニュ画面に表示された選択項目を選択するカーソルキー２０ｃ、カーソルキー２０ｃにより選択された選択項目の選択を決定する決定キー２０ｄ、光ディスク２の再生を指令する再生キー２０ｅ等の複数の操作キーが設けられていて、それらの操作キーを操作することによりディスク装置１を所望動作させることができるようになっている。
以上のように構成されたディスク装置について、以下その動作について説明する。
リモコン装置２０のメニュキー２０ａが操作されると、マイコン１６は、ＯＳＤ回路１４に文字情報信号と制御信号とを送出して、モニタ装置の画面にメニュ画面を表示する（図示せず）。そして、リモコン装置２０のカーソルキー２０ｃと決定キー２０ｄとの操作によりモニタ装置の画面に表示されたメニュ画面のユーザが不適切とする台詞の登録が選択されると、マイコン１６は、ＯＳＤ回路１４に文字情報信号と制御信号とを送出して、モニタ装置３０の画面ユーザが不適切とする台詞を登録する不適切な台詞の登録画面をモニタ装置３０の画面に表示する（図３参照）。
リモコン装置２０のカーソルキー２０ｃによりモニタ装置３０の画面の不適切な台詞の未登録番号が選択されると、マイコン１６は、ＯＳＤ回路１４に文字情報信号と制御信号とを送出して、モニタ装置３０の画面に表示されたカーソルＡを移動させる（図３参照）。そして、リモコン装置２０のテンキー２０ｂの操作によりユーザが不適切とする台詞が入力され、リモコン装置２０のカーソルキー２０ｃと決定キー２０ｄとのキー操作により入力されたユーザが不適切とする台詞の登録が選択された場合、マイコン１６は、入力されたユーザが不適切とする台詞をフラッシュＲＯＭ１７に記憶する。
リモコン装置２０の再生キー２０ｅのキー操作により光ディスク２の再生が指令されると、マイコン１６は、制御信号をサーボ回路６に送出して、スピンドルモータ４を駆動して光ディスク２を回転させ、スレッドモータ５を駆動して光ピックアップ３を光ディスク２の半径方向にスレッド移動させ、光ピックアップ３により光ディスク２に記録されている映像音声データを読み出して、音声認識回路１１に制御信号を送出して、光ディスク２から読み出された音声データをテキストデータに変換し、テキストデータに変換された音声データの台詞とフラッシュＲＯＭ１７に記憶されているユーザが不適切とする台詞とを照合して、テキストデータに変換された音声データの台詞の中にフラッシュＲＯＭ１７に記憶されているユーザが不適切とする台詞が含まれているか否を判別する。テキストデータに変換された音声データの台詞の中にフラッシュＲＯＭに記憶されているユーザが不適切とする台詞が含まれている場合、マイコン１６は、ミュート回路１２に制御信号を送出して、ユーザが不適切とする台詞の部分の音声信号にミュートをかけて、映像信号処理回路１３により再生された映像信号と音声信号処理回路１０により再生された音声信号とを出力する。また、テキストデータに変換された音声データの台詞の中にフラッシュＲＯＭ１７に記憶されているユーザが不適切とする台詞が含まれていない場合、マイコン１６は、映像信号処理回路１３により再生された映像信号と音声信号処理回路１０により再生された音声信号とを通常出力する。
また、図４の本発明の一実施例のディスク装置のユーザが不適切とする台詞の登録動作を示すフローチャートを基に説明する。
リモコン装置のキー操作によりメニュ画面の不適切な台詞の登録が選択されると、ステップＳ１からステップＳ２に進み、ステップＳ２で、リモコン装置のキー操作によりユーザが不適切とする台詞が入力されたか否かが判断され、ユーザが不適切とする台詞が入力された場合、ステップＳ３に進み、ユーザが不適切とする台詞が入力されていない場合、ステップＳ５に進む。
ステップＳ３で、リモコン装置のキー操作により入力されたユーザが不適切とする台詞の登録が選択されたか否かが判断され、入力されたユーザが不適切とする台詞の登録が選択された場合、ステップＳ４に進み、入力されたユーザが不適切とする台詞の登録が選択されず、入力されたユーザが不適切とする台詞の取消が選択された場合、ステップＳ５に進む。
ステップＳ４で、入力されたユーザが不適切とする台詞がフラッシュＲＯＭに記憶されて、ステップＳ５に進む。
ステップＳ５で、不適切な台詞の登録の終了が選択されたか否かが判断され、不適切な台詞の登録の終了が選択された場合、ステップＳ６に進んで処理を終了し、不適切な台詞の登録の終了が選択されていない場合、ステップＳ２に戻って、ステップＳ２からのステップを繰り返す。
また、図５の本発明の一実施例のディスク装置の再生動作を示すフローチャートを基に説明する。
リモコン装置のキー操作により光ディスクの再生が指令されると、ステップＳ１１からステップＳ１２に進み、ステップＳ１２で、光ディスクに記録されている映像音声データが読み出されて、読み出された映像音声データの中の音声データがテキストデータに変換され、ステップＳ１３に進む。
ステップＳ１３で、テキストデータに変換された音声データの台詞とフラッシュＲＯＭに記憶されているユーザが不適切とする台詞とが照合され、テキストデータに変換された音声データの台詞の中にフラッシュＲＯＭに記憶されているユーザが不適切とする台詞が含まれているか否か判断され、テキストデータに変換された音声データの台詞の中にユーザが不適切とする台詞が含まれている場合、ステップＳ１４に進み、テキストデータに変換された音声データの台詞の中にユーザが不適切とする台詞が含まれていない場合、ステップＳ１５に進む。
ステップＳ１４で、ユーザが不適切とする台詞の部分の音声信号にミュートがかけられて、映像音声データから再生された映像信号と音声信号とが出力され、ステップＳ１６に進む。
ステップＳ１５で、映像音声データから再生された映像信号と音声信号とが通常出力され、ステップＳ１６に進む。
ステップＳ１６で、光ディスクの再生が終了したか否かが判断され、光ディスクの再生が終了した場合、ステップＳ１７に進んで処理を終了し、光ディスクの再生が終了していない場合、ステップＳ１２に戻って、ステップＳ１２からのステップを繰り返す。
以上、本発明を実施するための最良の形態について詳述したが、本発明はこれに限定されるものではなく、当業者の通常の知識の範囲内でその変形や改良が可能であることはいうまでもない。例えば、ユーザが不適切とする台詞を入力してフラッシュＲＯＭに記憶することを説明したが、フラッシュＲＯＭに記憶されているユーザが不適切とする台詞を編集することができるようにしてもよい。
【図面の簡単な説明】
【０００７】
【図１】本発明の一実施例のディスク装置の構成を示すブロック図である。
【図２】本発明の一実施例のディスク装置のリモコン装置を示す説明図である。
【図３】本発明の一実施例のディスク装置のユーザが不適切とする台詞の登録画面の表示例を示す図である。
【図４】本発明の一実施例のディスク装置のユーザが不適切とする台詞の登録動作を示すフローチャートである。
【図５】本発明の一実施例のディスク装置の再生動作を示すフローチャートである。
【符号の説明】
【０００８】
１  ディスク装置
２  光ディスク
３  光ピックアップ
４  スピンドルモータ
５  スレッドモータ
６  サーボ回路
７  ＲＦ増幅回路
８  信号処理回路
９  ストリーム分離回路
１０  音声信号処理回路
１１  音声認識回路
１２  ミュート回路
１３  映像信号処理回路
１４  ＯＳＤ回路
１５  エンコーダ
１６  マイコン
１７  フラッシュＲＯＭ
１８  リモコン受信部
２０  リモコン装置
２０ａ  メニュキー
２０ｂ  テンキー
２０ｃ  カーソルキー
２０ｄ  決定キー
２０ｅ  再生キー
３０  モニタ装置
【図１】
2007102949.tif 000003
【図２】
2007102949.tif 000004
【図３】
2007102949.tif 000005
【図４】
2007102949.tif 000006
【図５】
2007102949.tif 000007